(57)【要約】【課題】            継ぎ目の無い正面パネルを備えた手乾燥装置を得る。【解決手段】        正面パネル５が、凹状空間として構成された手挿入部を持ち、手挿入部の口元周辺には水の吹き飛びを防ぐ立上り部７を有する手乾燥装置について、正面パネル５全体を樹脂による一体成形物で、次のように構成する。正面パネル５の正面側の成形面を有する可動金型１５と、正面パネル５の背面側の成形面を有する固定金型１６との型合せでキャビティ１８を形成し、ノックアウトピン１９については固定金型１６側に配設し、可動金型１５の手挿入部の下部前部を成形する部分を、立上り部７の立上り方向に退離するスライドコア２０で、固定金型１６の手挿入部の下部を成形する部分を、立上り部７の立上り方向と逆方向に退離するスライドコア２１で構成し、キャビティ１８に樹脂を注入する。【選択図】          図２
2005160840.tif 000002
【特許請求の範囲】
【請求項１】
外殻が正面パネルと背面のベースで構成され、その正面パネルは、凹状空間として構成された手挿入部を有し、この手挿入部の口元周辺には水の吹き飛びを防ぐ立上り部を持つ前面構造を有する手乾燥装置であって、その正面パネル全体を樹脂による一体成形物で構成した手乾燥装置。
【請求項２】
請求項１に記載の手乾燥装置であって、手挿入部に高速空気流を照射するエアーノズルを正面パネルにインサート成形により一体に構成した手乾燥装置。
【請求項３】
請求項１又は請求項２のいずれかに記載の手乾燥装置であって、正面パネルの手挿入部に、挿入した手を検知するためのセンサーを収める透光窓部材をインサート成形により一体に構成した手乾燥装置。
【請求項４】
外殻が正面パネルと背面のベースで構成され、その正面パネルは、凹状空間として構成された手挿入部を有し、この手挿入部の口元周辺には水の吹き飛びを防ぐ立上り部を持つ前面構造を有する手乾燥装置の正面パネル全体を樹脂による一体成形するに際し、前記正面パネルの正面側の成形面を有する可動金型と、前記正面パネルの背面側の成形面を有する固定金型との型合せでキャビティを形成し、ノックアウトピンについては前記固定金型側に配設し、前記可動金型の手挿入部の下部前部を成形する部分を、前記立上り部の立上り方向に退離するスライドコアで構成し、前記固定金型の手挿入部の下部を成形する部分を、前記立上り部の立上り方向と逆方向に退離するスライドコアで構成し、前記キャビティに樹脂を注入して前記正面パネルを一体成形する外殻の製造方法。
【発明の詳細な説明】
【技術分野】
【０００１】
本発明は、洗浄後の濡れた手を衛生的に乾燥させるための手乾燥装置、特に、その前面を構成する外殻構造及びその製造方法に関するものである。
【背景技術】
【０００２】
洗浄後の濡れた手を乾燥させる装置として、高速空気流により手に付着した水滴を吹き飛ばし乾燥させる手乾燥装置がある。この装置は、箱体に凹状形態に処理空間としての手挿入部が設けられ、手挿入部にはエアーノズルが配設されている。エアーノズルには高圧空気流発生装置に接続されたエアーダクトが繋がれ、手挿入部内に高速空気流を噴出するようになっている。手の乾燥処理に伴い手挿入部に吹き飛ばされた水は、手挿入部の底部に設けられた排水口から手挿入部の下方に備えられたドレン容器に滴下し受容される。なお、この種の従来技術としては、特許文献１に開示されているものがある。
【０００３】
【特許文献１】特開２００１−２１２０２６号公報
【発明の開示】
【発明が解決しようとする課題】
【０００４】
上記この種の手乾燥装置の箱体、即ち外殻は、前面側を構成する前面パネルと背面側を構成するベースとからなる。前面パネルは樹脂製であるが、凹状空間である手挿入部があり、手挿入部の口元周辺には水の吹き飛びを防ぐ立上り部を持つ複雑な形状のため、二分割構成が採られている。その接合部分は、高圧空気流発生装置に空気を導く通風路から離反する位置に設定して、手挿入部に生じる水の飛沫が接合部分から浸入したとしても通風路に吸込まれないようにしている。しかしながら、接合部分に僅かな隙間が生じたりすると、水の飛沫が通風路から高圧空気流発生装置に吸込まれ、高圧空気流発生装置の故障を引き起こしたりする。また、接合部分に水垢などの汚れが堆積し、雑巾等を使った清掃くらいでは綺麗にならず、見栄えが悪くなり、不潔感を醸すことにもなるといった問題点がある。
【０００５】
本発明は、上記した従来の問題点を解決するためになされたもので、その課題とするところは、水垢等の堆積しない、できるだけ継ぎ目の無い正面パネルを備えた手乾燥装置を得ることであり、継ぎ目の無い、見栄えの良い正面パネルの製造方法を開発することである。
【課題を解決するための手段】
【０００６】
上記課題を解決するために本発明は、外殻が正面パネルと背面のベースで構成され、その正面パネルは、凹状空間として構成された手挿入部を有し、この手挿入部の口元周辺には水の吹き飛びを防ぐ立上り部を持つ前面構造を有する手乾燥装置について、その正面パネル全体を樹脂による一体成形物で構成する手段を採用する。
【０００７】
また、他の発明は、外殻が正面パネルと背面のベースで構成され、その正面パネルは、凹状空間として構成された手挿入部を有し、この手挿入部の口元周辺には水の吹き飛びを防ぐ立上り部を持つ前面構造を有する手乾燥装置の正面パネル全体を樹脂による一体成形するに際し、正面パネルの正面側の成形面を有する可動金型と、正面パネルの背面側の成形面を有する固定金型との型合せでキャビティを形成し、ノックアウトピンについては固定金型側に配設し、可動金型の手挿入部の下部前部を成形する部分を、立上り部の立上り方向に退離するスライドコアで構成し、固定金型の手挿入部の下部を成形する部分を、立上り部の立上り方向と逆方向に退離するスライドコアで構成し、キャビティに樹脂を注入して正面パネルを一体成形する手段を採用する。
【発明の効果】
【０００８】
上記手段を採用することにより、正面パネルには継ぎ目がなく、水垢等が堆積せず、簡単な清掃で清潔に保つことができ、高圧空気流発生装置に水の飛沫が吸込まれることもなくなる。
【０００９】
上記他の手段を採用することにより、手挿入部の口元周辺に水の吹き飛びを防ぐ立上り部を持つ前面パネルを、可動金型に構成したスライドコアにより型抜きできるようになり、正面パネルの意匠面である正面側にはノックアウトピンの押跡ができず、見栄えの良い一体成形による正面パネルが得られる。
【発明を実施するための最良の形態】
【００１０】
本発明の手乾燥装置は、凹状空間として構成された手挿入部が構成された本体箱体に、高速空気流を生成する高圧空気流発生装置が組込まれている。高圧空気流発生装置に空気を取込む空気取入口は、本体箱体の背面に形成された通風路端として本体箱体の最下部に開口している。この空気取入口には前後への抜き差しで脱着できる枠付きのエアーフィルタが装着されている。本体箱体の手挿入部の下部には前後方向の抜き差しで脱着できるドレン容器が装着されている。高圧空気流発生装置で生成された高圧空気流は、手挿入部の上面に設けられたエアーノズルに導かれる。このエアーノズルから高速空気流を手挿入部内に照射して、手挿入部に入れた手に付着した水分を吹き飛ばし、手挿入部の底の水受け部に設けられた排水口からドレン容器に溜めるようになっている。本体箱体は、背面側外殻をなすベースと、正面側外殻をなす正面パネルとから構成されている。正面パネルは、樹脂による一体成形物で、継ぎ目を持たない。正面パネルの手挿入部の口元周辺には水の吹き飛びを防ぐ立上り部も一体成形されている。
【００１１】
正面パネルの成形にあたっては、正面パネルの意匠面側の成形面を有する可動金型と、正面パネルの背面側の成形面を有する固定金型とをパーティングラインで型合せしてキャビティを形成する金型を使う。ノックアウトピンについては固定金型側に配設する。可動金型の手挿入部の下部前部を成形する部分は、立上り部の立上り方向に退離するスライドコアで構成する。また、固定金型の手挿入部の下部を成形する部分は、立上り部の立上り方向と逆方向に退離するスライドコアで構成し、キャビティに樹脂を注入する。この後、可動金型を固定金型から引き離し、二つのスライドコアをそれぞれ反対方向に退離させ、固定金型側の正面パネルの背面をノックアウトピンで突き、離型させて一体成形の正面パネルを成形する。
【００１２】
実施の形態１．
図１によって全体の断面を示すように本実施の形態の手乾燥装置は、正面に手挿入口を有する外殻をなす本体箱体１内に組み込まれた高圧空気流発生装置２による高圧空気が手挿入口近傍に送られて、手挿入口に続く処理空間としての手挿入部３内に水分を吹き飛ばす手乾燥に関する作動気流としての高速の気流が形成されるものである。本体箱体１は、背面側外殻をなすベース４と、正面側外殻をなす樹脂の一体成形物である正面パネル５とから構成されている。
【００１３】
手挿入部３は本体箱体１の正面下部に、正面及び両側面が開放した手の挿抜可能の開放シンク状の凹状空間として形成され、下部を形成する水受け部６と奥側とには、その端縁部に曲面構成の立上り部７による防壁構造が設けられ、側方や前方への水の飛散が防止されている。水受け部６の底部は前方に向って下傾していて、その傾斜下端に排水口が設けられている。水受け部６の下方には排水口から滴下する水を貯溜する開放容器構造のドレン容器８が前後方向への抜き差しにより脱着可能に設けられている。ドレン容器８には取外し可能な蓋９が設けられている。ドレン容器８と蓋９は、耐薬品性のあるＡＢＳ樹脂で作られ、中性洗剤及びアルコール等を使って洗浄し清掃することができる。また、手挿入部３の表面には、シリコン系もしくはフッ素系等の撥水性コーティング、又は酸化チタン等の親水性を有するコーティング、又は抗菌剤が含浸され、表面への汚れの付着の軽減や細菌の繁殖の低減が図られている。
【００１４】
高圧空気流発生装置２は、ＤＣブラシレスモーター（通常の整流子モーター又は誘導電動機であっても良い）と、これを駆動させる駆動回路及びＤＣブラシレスモーターによって回転するターボファンにより構成され、この実施の形態では本体箱体１の手挿入部３の直上に、吸気側をベース４側にして取付けられている。高圧空気流発生装置２の吸気側は、本体箱体１の背面側に手挿入部３の奥側背面に近接して縦方向に設けられた下端の開放した通風路１０に臨んでいて、通風路１０の下端の空気取入口から、前後方向の抜き差しにより脱着できる枠付きのエアーフィルタ１１を通じて空気を吸込むことができるようになっている。
【００１５】
高圧空気流発生装置２の吹出口は、円形カップ状のファンケーシングの外周に周方向に間隔を置いて複数個が半径方向に向って開設されている。このファンケーシングの外側はターボファンの回転方向に沿う方向に誘導路を設けた円形カップ状のケーシングにより覆われ、ケーシングの誘導路の端に高圧空気流発生装置２から送られてくる高圧空気を高速の気流に変換し手挿入部３に吹き出すエアーノズル１２が接続されている。エアーノズル１２は、手挿入部３の手挿入口近傍上部に形成された開口部に噴出口を下向きにしてインサート成形により一体化され、手挿入部３内に入れた手に高速の気流を吹き付け、手を擦り合せることなく手に付いた水滴を手の表面から剥離し吹き飛ばす。エアーノズル１２の奥側には透光窓部材１３の嵌められた窓があり、内部に手を検知するセンサー１４が設けられている。この透光窓部材１３もインサート成形により正面パネル５に一体化されている。
【００１６】
この手乾燥装置では、本体箱体１の正面パネル５には、水垢等が堆積する継ぎ目はなく、簡単な清掃で清潔に保つことができ、高圧空気流発生装置２に手挿入部３に生じる水の飛沫が吸込まれることもない。エアーノズル１２と透光窓部材１３については後付けにしても良い。この場合、正面パネル５とエアーノズル１２及び透光窓部材１３との間に接合部ができることになるが、手挿入部３に生じる水の飛沫がこの接合部から高圧空気流発生装置２に吸込まれることはない。また、接合部への水垢等の汚れの堆積についても、通常においては見えない手挿入部３の上面にあたり、不潔感を醸すことは少ない。
【００１７】
この一体成形の正面パネル５の成形は図２に示すような、正面パネル５の意匠面側の成形面を有する可動金型１５と、正面パネル５の背面側の成形面を有する固定金型１６とをパーティングライン１７で型合せしてキャビティ１８を形成する金型を使う。成形物を押出すノックアウトピン１９については固定金型１６側に配設する。正面パネル５の下部の立上り部７についてはアンダーカットになっている。そこで、可動金型１５の手挿入部３の下部前部を成形する部分は、立上り部７の立上り方向に退離するスライドコア２０で構成する。また、固定金型１６の手挿入部３の下部を成形する部分についても、立上り部７の立上り方向と逆方向に退離するスライドコア２１で構成する。なお、図２から図４では、スライドコア２１は固定金型側のスライドコアとなっているが、スライドコア２１はスライドコア２０と同様に可動金型側のスライドコアとなっていてもよい。
【００１８】
キャビティ１８にゲート２２より樹脂を注入した後、図３に示すように可動金型１５を固定金型１６から引き離し、二つのスライドコア２０，２１が斜面によってそれぞれ反対方向に退離して、図４に示すように型開きできる。固定金型１６側の正面パネル５の背面をノックアウトピン１９で突き、離型させて一体成形の正面パネル５を成形する。これにより、意匠面にノックアウトピン１９による押跡のない綺麗な正面パネル５が得られる。
【図面の簡単な説明】
【００１９】
【図１】手乾燥装置の断面図である。（実施の形態１）
【図２】正面パネルの製造方法を示す金型の構成図である。（実施の形態１）
【図３】正面パネルの製造方法を示す金型の構成図である。（実施の形態１）
【図４】正面パネルの製造方法を示す金型の構成図である。（実施の形態１）
【符号の説明】
【００２０】
３  手挿入部、  ５  正面パネル、  ７  立上り部、  １２  エアーノズル、  １３  透光窓部材、  １４  センサー、  １５  可動金型、  １６  固定金型、  １８  キャビティ、  １９  ノックアウトピン、  ２０  スライドコア、  ２１  スライドコア。
【図１】
2005160840.tif 000003
【図２】
2005160840.tif 000004
【図３】
2005160840.tif 000005
【図４】
2005160840.tif 000006